(57)【要約】【課題】同期した処理を行うことができる遠隔操作システムおよびからくりシステムを提供する。【解決手段】情報提供装置３には、標準時計と、標準時計に応じた時計データ、からくり時計にからくり演奏を行わせるスタート時刻データ、および楽曲データを含むからくり同期データを複数のからくり時計それぞれに送信する通信部を設け、からくり時計２には、情報提供装置３から送信されたからくり同期データを受信する通信Ｉ／Ｆと、からくり同期データの内の時刻データに基づいて計時部を修正し、からくり同期データの内のスタート時刻データに基づいて、計時部による計時時刻が開始時刻になると、楽曲データに基づいてからくり部および発音部にからくり動作およびからくり演奏を行わせるＣＰＵを設ける。【選択図】  図１
2004257762.tif 000002
【特許請求の範囲】
【請求項１】
遠隔操作装置、および所定処理を行う処理部を含む情報処理装置を有する遠隔操作システムであって、
前記遠隔操作装置は、第１内部時計と、
前記第１内部時計に応じた時計同期情報、前記処理部に前記所定処理を行わせる処理情報、および開始時刻情報を含む同期データを送信する送信手段とを含み、
前記情報処理装置は、前記遠隔操作装置から送信された前記同期データを受信する受信手段と、
前記受信手段が受信した前記同期データの内の時刻同期情報に基づいて第２内部時計を修正し、前記同期データの内の開始時刻情報に基づいて、前記第２内部時計による計時時刻が開始時刻になると、前記処理情報に基づいて前記処理部に前記所定処理を行わせる制御手段とを含む
遠隔操作システム。
【請求項２】
前記送信手段は、複数の前記情報処理装置の前記処理部それぞれに応じた処理情報を含む前記同期データを、前記情報処理装置それぞれに送信し、
前記制御手段は、前記受信手段で受信した前記同期データの内の、前記処理情報に基づいて、前記処理部に応じた所定処理を行う
請求項１に記載の遠隔操作システム。
【請求項３】
遠隔操作装置、所定処理を行う処理部を含む情報処理装置、および中継装置を有する遠隔操作システムであって、
前記遠隔操作装置は、第１内部時計と、
前記第１内部時計に応じた時計同期情報、前記処理部に所定処理を行わせる処理情報、および開始時刻情報を含む同期データを前記中継装置に送信する送信手段とを含み、
前記中継装置は、前記遠隔操作装置および情報処理装置と通信を行う第１通信手段と、
前記第１通信手段が受信した前記同期データの内の時刻同期情報に基づいて第２内部時計を修正し、前記第１通信手段に前記処理情報を前記情報処理装置に送信させ、前記同期データの内の開始時刻情報に基づいて、前記第２内部時計による計時時刻が開始時刻になると、前記第１通信手段に、前記所定処理を行わせるトリガ信号を前記情報処理装置に送信させる第１制御手段とを含み、
前記情報処理装置は、前記中継装置と通信を行う第２通信手段と、
前記第２通信手段が受信した前記処理情報を記憶する記憶手段と、
前記第２通信手段が前記トリガ信号を受信すると、前記記憶手段に記憶している処理情報に基づいて、前記処理部に前記所定処理を行わせる第２制御部とを含む
遠隔操作システム。
【請求項４】
前記遠隔操作装置において、前記送信手段は、複数の前記情報処理装置の処理部それぞれに応じた処理情報を含む前記同期データを、前記中継装置に送信し、
前記中継装置は、前記第１通信手段に、前記同期データの内の、前記複数の情報処理装置の処理部それぞれに応じた処理情報を、対応する前記情報処理装置それぞれに送信し、
複数の前記情報処理装置それぞれにおいて、前記第２制御手段は、前記第２通信手段で受信した前記処理情報に基づいて、前記処理部に前記所定処理を所定処理を行わせる
請求項３に記載の遠隔操作システム。
【請求項５】
からくり情報提供装置、および、からくり部を含むからくり時計を有するからくりシステムであって、
前記からくり情報提供装置は、第１内部時計と、
前記第１内部時計に応じた時計同期情報、前記からくり時計にからくり動作を行わせる開始時刻情報、およびからくり動作情報を含むからくり同期データを前記からくり時計に送信する送信手段とを含み、
前記からくり時計は、前記からくり情報提供装置から送信された、前記からくり同期データを受信する受信手段と、
前記受信手段が受信した前記からくり同期データの内の時刻同期情報に基づいて第２内部時計を修正し、前記からくり同期データの内のからくり開始時刻情報に基づいて、前記第２内部時計による計時時刻が開始時刻になると、前記からくり動作情報に基づいて前記からくり部にからくり動作を行わせる制御手段とを含む
からくりシステム。
【請求項６】
前記送信手段は、複数の前記からくり時計のからくり部それぞれに応じたからくり動作情報を含む前記からくり同期データを、前記からくり時計それぞれに送信し、
前記制御手段は、前記受信手段で受信した前記からくり同期データの内の、前記からくり動作情報に基づいて、前記からくり部に応じたからくり動作を行う
請求項５に記載のからくりシステム。
【請求項７】
前記送信手段は、前記からくり部にからくり演奏を行わせるからくり演奏情報を含むからくり動作情報を前記からくり時計に送信し、
前記制御手段は、前記受信手段で受信した前記からくり演奏情報に基づいて、前記からくり部にからくり動作を行わせて発音させ、からくり演奏を行わせる
請求項５または６に記載のからくりシステム。
【請求項８】
からくり情報提供装置、からくり部を含むからくり時計、および中継装置を有するからくりシステムであって、
前記からくり情報提供装置は、第１内部時計と、
前記第１内部時計に応じた時計同期情報、前記からくり時計にからくり動作を行わせる開始時刻情報およびからくり動作情報を含むからくり同期データを前記中継装置に送信する送信手段とを含み、
前記中継装置は、前記からくり時計およびからくり情報提供装置と通信を行う第１通信手段と、
前記第１通信手段が受信した前記からくり同期データの内の時刻同期情報に基づいて第２内部時計を修正し、前記通信手段に前記からくり動作情報を前記からくり時計に送信させ、前記からくり同期データの内のからくり開始時刻情報に基づいて、前記第２内部時計による計時時刻が開始時刻になると、前記第１通信手段に、からくり動作を行わせるトリガ信号をからくり時計に送信させる第１制御手段とを含み、
前記からくり時計は、前記中継装置と通信を行う第２通信手段と、
前記第２通信手段が受信した前記からくり動作情報を記憶する記憶手段と、
前記第２通信手段がトリガ信号を受信すると、前記からくり部に、前記記憶手段に記憶しているからくり動作情報に基づいてからくり動作を行わせる第２制御手段とを含む
からくりシステム。
【請求項９】
前記送信手段は、複数の前記からくり時計のからくり部それぞれに応じたからくり動作情報を含む前記からくり同期データを、前記中継装置に送信し、
前記第１通信手段に、前記からくり同期データの内の、前記複数のからくり時計のからくり部それぞれに応じたからくり動作情報を、対応する前記からくり時計それぞれに送信し、
複数の前記からくり時計それぞれにおいて、前記第２制御手段は、前記第２通信手段で受信した前記からくり動作情報に基づいて、前記からくり部に応じたからくり動作を行わせる
請求項８に記載のからくりシステム。
【請求項１０】
前記送信手段は、前記からくり部それぞれに応じたからくり演奏を行わせるからくり演奏情報を含むからくり動作情報を前記中継装置に送信し、
前記中継装置は、前記からくり演奏情報を含むからくり動作情報を、対応する前記からくり時計それぞれに送信し、
複数の前記からくり時計それぞれにおいて、前記第２制御手段は、前記第２通信手段で受信した前記からくり動作情報の内のからくり演奏情報に基づいて、前記からくり部にからくり動作を行わせて発音させ、からくり演奏を行わせる
請求項８または９に記載のからくりシステム。
【発明の詳細な説明】
【０００１】
【発明の属する技術分野】
本発明は、例えば、同期したからくり動作を行うからくり時計の遠隔操作システムおよびからくりシステムに関するものである。
【０００２】
【従来の技術】
従来、所定の時刻になると音楽を演奏すると共に、例えば被打鈴体を実打ちするからくり部を有するからくり時計が知られている（例えば、特許文献１参照。）。
【０００３】
【特許文献１】
特開平６−２８１７５９号公報（第１−５頁、第１図）
【０００４】
【発明が解決しようとする課題】
例えばユーザが購入した遠隔地に設置されている複数のからくり時計では、からくり時計それぞれの内部時計のずれにより、所定時刻からずれた時刻にからくり動作やからくり演奏を行う場合がある。
また、例えば上述した複数のからくり時計で、所望時刻に、所望の同一演奏曲の演奏パートそれぞれを、同期してからくり動作およびからくり演奏を行わせたいという要望がある。
【０００５】
本発明は、かかる事情に鑑みてなされたものであり、その目的は、同期した所定処理を行うことができる遠隔操作システムおよびからくりシステムを提供することにある。
【０００６】
【課題を解決するための手段】
前記目的を達成するために、本発明の第１の観点は、遠隔操作装置、および所定処理を行う処理部を含む情報処理装置を有する遠隔操作システムであって、前記遠隔操作装置は、第１内部時計と、前記第１内部時計に応じた時計同期情報、前記処理部に前記所定処理を行わせる処理情報、および開始時刻情報を含む同期データを送信する送信手段とを含み、前記情報処理装置は、前記遠隔操作装置から送信された前記同期データを受信する受信手段と、前記受信手段が受信した前記同期データの内の時刻同期情報に基づいて第２内部時計を修正し、前記同期データの内の開始時刻情報に基づいて、前記第２内部時計による計時時刻が開始時刻になると、前記処理情報に基づいて前記処理部に前記所定処理を行わせる制御手段とを含む。
【０００７】
本発明の第１の観点によれば、送信手段では、第１内部時計に応じた時計同期情報、処理部に所定処理を行わせる処理情報、および開始時刻情報を含む同期データを送信する。
情報処理装置において、受信手段では、遠隔操作装置から送信された前記同期データを受信する。制御手段では受信手段が受信した同期データの内の時刻同期情報に基づいて第２内部時計を修正し、同期データの内の開始時刻情報に基づいて、第２内部時計による計時時刻が開始時刻になると、処理情報に基づいて処理部に前記所定処理を行わせる。
【０００８】
さらに、前記目的を達成するために、本発明の第２の観点は、遠隔操作装置、所定処理を行う処理部を含む情報処理装置、および中継装置を有する遠隔操作システムであって、前記遠隔操作装置は、第１内部時計と、前記第１内部時計に応じた時計同期情報、前記処理部に所定処理を行わせる処理情報、および開始時刻情報を含む同期データを前記中継装置に送信する送信手段とを含み、前記中継装置は、前記遠隔操作装置および情報処理装置と通信を行う第１通信手段と、前記第１通信手段が受信した前記同期データの内の時刻同期情報に基づいて第２内部時計を修正し、前記第１通信手段に前記処理情報を前記情報処理装置に送信させ、前記同期データの内の開始時刻情報に基づいて、前記第２内部時計による計時時刻が開始時刻になると、前記第１通信手段に、前記所定処理を行わせるトリガ信号を前記情報処理装置に送信させる第１制御手段とを含み、前記情報処理装置は、前記中継装置と通信を行う第２通信手段と、前記第２通信手段が受信した前記処理情報を記憶する記憶手段と、前記第２通信手段が前記トリガ信号を受信すると、前記記憶手段に記憶している処理情報に基づいて、前記処理部に前記所定処理を行わせる第２制御部とを含む。
【０００９】
さらに、前記目的を達成するために、本発明の第３の観点は、からくり情報提供装置、および、からくり部を含むからくり時計を有するからくりシステムであって、前記からくり情報提供装置は、第１内部時計と、前記第１内部時計に応じた時計同期情報、前記からくり時計にからくり動作を行わせる開始時刻情報、およびからくり動作情報を含むからくり同期データを前記からくり時計に送信する送信手段とを含み、前記からくり時計は、前記からくり情報提供装置から送信された、前記からくり同期データを受信する受信手段と、前記受信手段が受信した前記からくり同期データの内の時刻同期情報に基づいて第２内部時計を修正し、前記からくり同期データの内のからくり開始時刻情報に基づいて、前記第２内部時計による計時時刻が開始時刻になると、前記からくり動作情報に基づいて前記からくり部にからくり動作を行わせる制御手段とを含む。
【００１０】
さらに、前記目的を達成するために本発明の第４の観点は、からくり情報提供装置、からくり部を含むからくり時計、および中継装置を有するからくりシステムであって、前記からくり情報提供装置は、第１内部時計と、前記第１内部時計に応じた時計同期情報、前記からくり時計にからくり動作を行わせる開始時刻情報およびからくり動作情報を含むからくり同期データを前記中継装置に送信する送信手段とを含み、前記中継装置は、前記からくり時計およびからくり情報提供装置と通信を行う第１通信手段と、前記第１通信手段が受信した前記からくり同期データの内の時刻同期情報に基づいて第２内部時計を修正し、前記通信手段に前記からくり動作情報を前記からくり時計に送信させ、前記からくり同期データの内のからくり開始時刻情報に基づいて、前記第２内部時計による計時時刻が開始時刻になると、前記第１通信手段に、からくり動作を行わせるトリガ信号をからくり時計に送信させる第１制御手段とを含み、前記からくり時計は、前記中継装置と通信を行う第２通信手段と、前記第２通信手段が受信した前記からくり動作情報を記憶する記憶手段と、前記第２通信手段がトリガ信号を受信すると、前記からくり部に、前記記憶手段に記憶しているからくり動作情報に基づいてからくり動作を行わせる第２制御手段とを含む。
【００１１】
【発明の実施の形態】
図１は、本発明に係るからくりシステムの第１実施形態の全体構成図である。
本実施形態に係るからくりシステム１は、例えば図１に示すように、からくり時計２、および情報提供装置３を有する。
からくりシステム１は、本発明に係る遠隔操作システムおよびからくりシステムに相当し、からくり時計２は本発明に係る情報処理装置およびからくり時計に相当し、情報提供装置３は本発明に係る遠隔操作装置およびからくり情報提供装置に相当する。
【００１２】
からくり時計２は、情報提供装置３と通信ネットワークを４介して接続されている。また、端末装置５が通信ネットワーク４を介して情報提供装置３に接続されている。
【００１３】
例えば複数のからくり装置２−１〜ｎが通信ネットワーク４を介して情報提供装置３に接続されており、個々を区別しない場合にはからくり時計２と言う。また、例えば複数の端末装置５−１〜ｍが通信ネットワーク４を介して情報提供装置３に接続されており、個々を区別しない場合には端末装置５という。
【００１４】
図２は、図１に示したからくりシステムの情報提供装置の機能ブロック図である。
情報提供装置３は、からくり時計２それぞれのからくり部のからくり動作に対して、遠隔操作を行う。
情報提供装置３は、例えば図２に示したように、通信部３１、標準時計３２、入出力部３３、メモリ３４、記憶装置３５、およびＣＰＵ（Ｃｅｎｔｒａｌ  ｐｒｏｃｅｓｓｉｎｇ  ｕｎｉｔ  ）３６を有する。それぞれはバスＢＳにより接続されている。
【００１５】
通信部３１は、ＣＰＵ３６の制御のもと、通信ネットワーク４を介して、例えば複数のからくり時計２、端末装置５とデータ通信を行う。
情報提供装置３は、標準時刻情報提供装置６が出力する標準時刻情報に基づいて標準時計３２を修正し、常時、標準時計３２の時刻情報を管理する。
【００１６】
図３は、図２に示した情報提供装置の標準時計の機能ブロックを示す図である。
情報提供装置３は、標準時刻情報提供装置６が出力する標準時刻情報に基づいて標準時計３２を修正し、常時、標準時計３２の時刻情報を管理する。
標準時計３２は、例えば図３に示すように、原子時計３２１、通信部３２２、およびＮＴＰ（Ｎｅｔｗｏｒｋ  ｔｉｍｅ  ｐｒｏｔｏｃｏｌ  ）サーバ３２３を有する。
原子時計３２１は、例えばセシウム原子による振動に基づいて時刻情報を生成する。通信部３２２は、標準時刻情報提供装置６から例えば標準電波により送信される標準時刻情報を受信し、時刻情報を修正させる。ＮＴＰサーバ３２３は、例えば通信ネットワーク４を介してＮＴＰ（Ｎｅｔｗｏｒｋ  ｔｉｍｅ  ｐｒｏｔｏｃｏｌ  ）を用いて原子時計３２１の標準時刻情報を提供する。
【００１７】
入出力部３３は、例えばディスプレイやキーボード等の入出力装置であり、ＣＰＵ３６により制御されている。入出力部３３は、例えば管理者等が情報提供装置３を管理する際に操作される。
【００１８】
メモリ３４は、例えばＲＡＭ（Ｒａｎｄｏｍ  ａｃｃｅｓｓ  ｍｅｍｏｒｙ）やＲＯＭ（Ｒｅａｄ  ｏｎｌｙ  ｍｅｍｏｒｙ）であり、所定データ、パラメータ、およびプログラム等が記憶されている。メモリ３４は、ＣＰＵ３６により管理されている。ＣＰＵ３６は、この所定データ、パラメータ、およびプログラムに基づいて本発明に係る処理を行う。メモリ３４は、ワークスペースとしても用いられる。
【００１９】
記憶装置３５は、からくり時計２の音データＤ＿Ａ、からくりデータＤ＿Ｋ、同期データＤ＿Ｓ、設定データＤ＿Ｉ等のからくり時計２のからくり動作に関するデータを記憶する。
ＣＰＵ３６は、要求に応じて記憶装置３５に記憶されているデータを読出し、所定のデータを通信部３１に出力させる。また、要求に応じてＣＰＵ３６は、音データＤ＿ＡおよびからくりデータＤ＿Ｋを記憶装置３５に書込む。
【００２０】
図４は、図１に示した情報提供装置の記憶装置に記憶されているデータを説明するための図である。
記憶装置３５は、音データＤ＿Ａ、からくりデータＤ＿Ｋ、同期データＤ＿Ｓ、設定データＤ＿Ｉ等を記憶する。
音データＤ＿Ａは、からくり時計２の発音部を発音させるためのデータである。からくりデータＤ＿Ｋは、からくり時計２のからくり部をからくり動作させるためデータである。設定データＤ＿Ｉは、からくり時計２のからくり部の動作と発音部による発音を同期させるためのデータである。
【００２１】
記憶装置３５は、例えば音用フォルダＦ＿Ａ内に複数の音データＤ＿Ａ１〜ｍを記憶し、からくり用フォルダＦ＿Ｋ内に複数のからくりデータＤ＿Ｋ１〜ｎを記憶する。
【００２２】
同期データＤ＿Ｓは、音データＤ＿ＡとからくりデータＤ＿Ｋとを関連付ける。例えば詳細には、同期データＤ＿Ｓは、スタート時刻データ３１６（設定時刻）、曲順、音データＤ＿Ａ、からくりデータＤ＿Ｋとを関連付けて記憶する。
【００２３】
具体的には、例えば図４に示すように、スタート時刻１０：１０、１曲目、音データＤ＿Ａ１、およびからくりデータＤ＿Ｋ１を関連付け、スタート時刻１３：００、２曲目、音データＤ＿Ａ２、およびからくりデータＤ＿Ｋ２を関連付け、スタート時刻１７：３０、３曲目、音データＤ＿Ａ３、およびからくりデータＤ＿Ｋ３を関連付け、…以下省略。
【００２４】
同期データＤ＿Ｓは、通信ネットワーク４を介して、外部の端末装置５から変更可能である。
同期データＤ＿Ｓを変更することで、からくり時計２で演奏される曲の順番を変更することができる。また、音データＤ＿Ａと、からくりデータＤ＿Ｋと関連付けを変更することで、同じ曲でも異なるからくり動作や実打ちを行わせることができる。
【００２５】
また、記憶装置３５は、例えば複数のフォルダＦを有する。
フォルダＦ内には、例えば上述した複数の音データＤ＿Ａを記憶する音用フォルダＦ＿Ａ、および複数のからくりデータＤ＿Ｋを記憶するからくり用フォルダＦ＿Ｋを有する。フォルダＦそれぞれは、例えばからくり時計２−１〜ｎそれぞれに対応して設けられる。
【００２６】
例えばフォルダＦそれぞれは、ＩＤとパスワードにより認証が適切に行われた場合にのみアクセス可能である。
からくり時計２や端末装置５が情報提供装置３のフォルダＦにアクセスする場合に、ＣＰＵ３６は、所定のＩＤとパスワードにより認証処理を行い、適切に本人確認が行われた場合にのみアクセスを許可する。
【００２７】
ＣＰＵ３６は、標準時計３２で計時している時刻情報に基づいて所定のタイミングで、例えばからくり時計２それぞれに、からくり演奏を行わせる時刻の所定時刻前に、時刻データ３１４，楽曲データ３１５，スタート時刻データ３１６を含むからくり同期データ３１０を、通信部３１に通信ネットワーク４を介して対応するからくり時計２に送信させる。
【００２８】
ＣＰＵ３６は、通信部３１で通信ネットワーク４を介して、音データＤ＿Ａ、からくりデータＤ＿Ｋ等のデータをダウンロードさせる要求を受信すると、要求元に所望のデータを通信部３１に送信させる。
ＣＰＵ３６は、通信部３１で、端末装置５から送信された音データＤ＿Ａ、からくりデータＤ＿Ｋ、設定データＤ＿Ｉ、同期データＤ＿Ｓのいずれか１つ等が受信すると、記憶装置３５に記憶させる。
【００２９】
ＣＰＵ３６は、通信部３１に、記憶装置３５に記憶した音データＤ＿Ａ、からくりデータＤ＿Ｋ、設定データＤ＿Ｉ、同期データＤ＿Ｓ等を、からくり時計２に通信ネットワーク４を介して送信させる。
【００３０】
ＣＰＵ３６は、からくり時計２から送信されたダウンロード要求が通信部３１で受信された場合には、からくり時計２に記憶装置３５に記憶されている所定のデータ、例えば音データＤ＿Ａ、からくりデータＤ＿Ｋ、設定データＤ＿Ｉ、同期データＤ＿Ｓ等を通信部３１および通信ネットワーク４を介して送信する。
【００３１】
ＣＰＵ３６は、通信部３１で標準時刻情報が要求された場合には、要求元に標準時刻情報を送信する。
ＣＰＵ３６は、所定のタイミング、例えば１日に数回程度、標準時刻情報提供装置６から提供される標準時刻情報に基づいて標準時計３２の時刻情報を修正する。
【００３２】
図５は、図１に示したからくりシステムの情報提供装置からからくり時計に出力するからくり同期データの信号形式を示す図である。
【００３３】
情報提供装置１は、例えば図５に示すようなフレーム単位の信号形式（フォーマット）で、からくり同期データ３１０をからくり時計２に送信する。
詳細には、からくり同期データ３１０は、図５に示すように、開始フラグ３１１、アドレス３１２、制御３１３、時刻データ３１４、楽曲データ３１５、スタート時刻３１６、フレーム検査シーケンス３１７、および終了フラグ３１８を有する。また、からくり同期データ３１０には、図示しないが同期データＤ＿Ｓも含まれる。
【００３４】
開始フラグ３１１はフレームの開始を示すフラグである。アドレス３１２はからくり時計２それぞれの楽曲データ等３１５等が書き込まれるアドレスである。制御３１３はデータの位置合わせ用の制御信号である。
時刻データ３１４は標準時計３２で計時される標準時刻情報を示すデータである。楽曲データ３１５は、例えば、音データＤ＿ＡおよびからくりデータＤ＿Ｋを含む。
【００３５】
スタート時刻データ３１６は、からくり時計２が楽曲データ３１５に応じて、からくり動作や演奏、発音を開始させる設定時刻である。フレーム検査シーケンス３１７は、例えばからくり時計２のからくり部の駆動用モータ等を止めるための信号等が含まれる。終了フラグ３１８は、このフレームの終了を示すフラグである。
【００３６】
情報提供装置３は、例えばからくり時計２−１，２−２，２−３それぞれに、例えば同一時刻に、同一の演奏曲のそれぞれのパートを演奏させる場合には、図５（Ａ），（Ｂ），（Ｃ）に示すように、アドレス３１２、楽曲データ３１５等の異なるデータを、対応するからくり時計２−１，２−２，２−３に送信する。
【００３７】
図６は、図１に示した情報提供装置の動作の一具体例を説明するためのフローチャートである。図６を参照しながら、情報提供装置３の動作の一具体例を説明する。
【００３８】
ステップＳＴ１において、ＣＰＵ３６では、標準時計３２で計時している時刻情報に基づいて所定のタイミングで、例えばからくり時計２それぞれに、からくり演奏を行わせる時刻の所定時刻前、例えば十数分前であるか否かが判別され、その時刻である場合には、例えば図５に示した信号形式で、時刻データ３１４，楽曲データ３１５，スタート時刻データ３１６を含むデータを、通信部３１に通信ネットワーク４を介して対応するからくり時計２に送信させ（ＳＴ２）ステップＳＴ３の処理に進む。一方、上記時刻でない場合にも、ステップＳＴ３の処理に進む。
【００３９】
ステップＳＴ３において、ＣＰＵ３６では通信部３１で端末装置５から送信された音データＤ＿Ａ、からくりデータＤ＿Ｋ、設定データＤ＿Ｉ、同期データＤ＿Ｓの少なくともいずれか１つ等が受信されると、記憶装置３５に記憶させる（ＳＴ４）。ＣＰＵ３６は、記憶装置３５に記憶した音データＤ＿Ａ、からくりデータＤ＿Ｋ、設定データＤ＿Ｉ、同期データＤ＿Ｓを、通信部３１に通信ネットワーク４を介してからくり時計２に送信させ（ＳＴ５）、ステップＳＴ６の処理に進む。
一方、ステップＳＴ３において、ＣＰＵ３６では、端末装置５から上述のデータが受信されていないと判別された場合には、ステップＳＴ６の処理に進む。
【００４０】
ステップＳＴ６において、ＣＰＵ３６では、からくり時計２から送信されたダウンロード要求が通信部３１で受信された場合には、要求に応じてからくり時計２に、記憶装置３５に記憶されている所定のデータ、例えば音データＤ＿Ａ、からくりデータＤ＿Ｋ、設定データＤ＿Ｉ、同期データＤ＿Ｓ等を通信部３１および通信ネットワーク４を介してからくり時計２に送信し（ＳＴ７）、ステップＳＴ８の処理に進む。
一方、ステップＳＴ６において、ダウンロード要求が受信されていないと判別された場合には、ステップＳＴ８の処理に進む。
【００４１】
ステップＳＴ８において、ＣＰＵ３６では、通信部３１で標準時刻データが要求された場合には、要求元に標準時刻情報として時刻データ３１４を送信し（ＳＴ９）、ステップＳＴ１の処理に戻る。
一方、ステップＳＴ８において、標準時刻データの要求でないと判別された場合には、ステップＳＴ１の処理に戻る。
【００４２】
端末装置５は、例えば、通信機能を有するＰＣ（パーソナルコンピュータ）や、ＰＤＡ（Ｐｅｒｓｏｎａｌ  ｄａｔａ  ａｓｓｉｓｔａｎｔ  ）や携帯電話等の携帯型情報端末装置である。端末装置５は、図示しないが、通信部、メモリ、入力部、表示部、ＣＰＵ等を有する。
端末装置５は、例えば、からくり時計２で用いられる音データＤ＿ＡやからくりデータＤ＿Ｋ、スタート時刻データ３１６等を生成して、通信ネットワーク４を介して情報提供装置３にアップロードする。
また、端末装置５は、からくり時計２で用いられる同期データＤ＿Ｓや、設定データＤ＿Ｉを生成して、通信ネットワーク４を介して情報提供装置３にアップロードする。
【００４３】
図７は、図１に示したからくりシステムのからくり時計の一実施の形態の機能ブロック図である。
からくり時計２は、例えば図７に示すように、通信インターフェイス（Ｉ／Ｆ：Ｉｎｔｅｒｆａｃｅ  ）２１、計時部２２、表示部２３、操作部２４、ＲＯＭ（Ｒｅａｄ  ｏｎｌｙ  ｍｅｍｏｒｙ）２５、ＲＡＭ（Ｒａｎｄｏｍ  ａｃｃｅｓｓ  ｍｅｍｏｒｙ）２６、保存メモリ２７、からくり発音部２８、およびＣＰＵ２９を有する。
それぞれは、バスＢＳにより接続されている。
【００４４】
通信Ｉ／Ｆ２１は、ＣＰＵ２９の制御のもと、通信ネットワーク４を介して情報提供装置３とデータ通信を行う。
通信Ｉ／Ｆ２１は、例えば、有線方式で通信を行ってもよいし、例えば、アンテナａｎｔを介してＰＨＳ（Ｐｅｒｓｏｎａｌ  ｈａｎｄｙｐｈｏｎｅ  ｓｙｓｔｅｍ）や、ＩＥＥＥ８０２．１１ａ  等の無線方式で通信を行ってもよい。
【００４５】
計時部２２は、時刻の計時を行う。計時部２２は計時している時刻情報をＣＰＵ２９に出力する。ＣＰＵ２９は、所定のタイミングで、標準時刻情報を示す時刻データ３１４に基づいて、計時部２２で計時されている時刻情報を修正する。
【００４６】
表示部２３は、ＣＰＵ２９制御の元、所定の画像を表示する。例えば表示部２３は、ＴＦＴ（Ｔｈｉｎ  ｆｉｌｍ  ｔｒａｎｓｉｓｔｏｒ）液晶ディスプレイ等の液晶ディスプレイや、ブラウン管等の表示装置である。
【００４７】
操作部２４は、例えばユーザにより操作され所定のデータが入力される装置であり、例えば、タッチパネル装置である。
ＲＯＭ２５は、所定の初期パラメータ等が記憶されている。ＲＯＭ２５は電源がオフ状態になっても記録したデータが消えない。
ＲＡＭ２６は、ＣＰＵ２９の制御処理に伴って生成されるデータが格納されるいわゆるワーキングエリアとして用いられる。
保存メモリ２７は、設定データＤ＿Ｉ、同期データＤ＿Ｓ、音データＤ＿Ａ、およびからくりデータＤ＿Ｋ等を有する。
【００４８】
設定データＤ＿Ｉは、上述したように、からくり部２８１の動作と発音部２８２による発音を同期させるためのデータである。
設定データＤ＿Ｉは、例えば不図示のパネルにより変更可能である。また、通信ネットワーク４を介して所定の端末装置５から変更可能である。
【００４９】
例えばからくり部２８１では駆動信号がソレノイドに入力された時からソレノイドが駆動し、例えば棒鈴体を打鈴して実際に発音するまでの所定の遅延時間がある。
【００５０】
このため、ＣＰＵ２９により駆動制御部２８３は、この所定の遅延時間を考慮して、発音部２８２による発音と同期するように、からくりデータＤ＿Ｋに応じた駆動信号を音データＤ＿Ａよりも所定の遅延時間分だけ早くからくり部２８１に出力する。こうすることで、発音部２８２の発音と、からくり部２８１の実音とが同期することができる。
【００５１】
からくり部２８１の遅延時間は、例えば、ＣＰＵ２９により駆動制御部２８３が駆動信号をソレノイドに出力してから、実際に被打鈴体が実打されて発音するまでの時間である。例えばこの遅延時間は約１０ｍｓｅｃである。
【００５２】
このからくり部２８１の遅延時間は、例えばからくり機構やソレノイド等の種類により異なり、また個々のからくり機構やソレノイド等の製造番号ごとに異なる。このため、設定データＤ＿Ｉを個々のからくり時計２それぞれについて、予め発音部２８２による発音と、からくり動作とが同期するように遅延時間を測定して設定データＤ＿Ｉを生成しておき、その設定データＤ＿Ｉを記憶させる。
【００５３】
遅延時間は長い年月と共に変化するために、所定の年月が経過した後には、正確に同期させるように調整を行う必要が生じる。この場合には、設定データＤ＿Ｉを通信ネットワーク４を介して端末装置５から変更することで、容易に同期させるように調整することができる。また、この変更はからくり時計２に直接に行ってもよい。
【００５４】
設定データＤ＿Ｉは、例えば複数のからくり部２８１それぞれについて遅延時間を設定することで、詳細にはからくり部２８１それぞれに対応する、からくりデータＤ＿ＫのＭＩＤＩデータのチャンネルそれぞれについて遅延時間を設定することで、からくり部２８１それぞれの遅延時間を補正することができる。
【００５５】
音データＤ＿Ａは、発音部２８２により発音される曲データである。例えば音データＤ＿Ａは、ＭＰ３（ＭＰＥＧ  Ａｕｄｉｏ  ｌａｙｅｒ  ３）の形式により符号化されている。例えば音データＤ＿ＡがＭＰ３の形式で符号化されている場合には、発音部２８２はＭＰ３の規格に基づいて復号化処理を行い発音する。
この音データＤ＿Ａは、この形態に限られるものではない。例えば、所定の音声圧縮フォーマット形式により符号化されていてもよい。
【００５６】
からくりデータＤ＿Ｋは、からくり部２８１がからくり動作を行う際に用いられる。
からくりデータＤ＿Ｋは、例えばからくり部２８１のソレノイド部を制御させるデータである。
【００５７】
からくりデータＤ＿Ｋは、例えばＭＩＤＩ（Ｍｕｓｉｃａｌ  ｉｎｓｔｒｕｍｅｎｔ  ｄｉｇｉｔａｌ  ｉｎｔｅｒｆａｃｅ）規格に準拠したデータである。
ＭＩＤＩデータは、例えば複数のチャンネルを有し、チャンネルそれぞれにソレノイド部が割り当てられている。各チャンネルには、例えば音の強度や、長さ等を設定することができる。
【００５８】
例えば、保存メモリ２７は、複数の音データＤ＿ＡおよびからくりデータＤ＿Ｋを記憶する。
音用フォルダＦ＿Ａは、複数の音データＤ＿Ａを有する。
からくり用フォルダＦ＿Ｋは、複数のからくりデータＤ＿Ｋ（ＭＩＤＩデータＤ＿Ｍ）を記憶する。
【００５９】
同期データＤ＿Ｓは、音データＤ＿Ａと、からくりデータＤ＿Ｋを関連付けるデータである。
音データＤ＿Ａに応じた発音部２８２の発音に同期して、からくり部２８１が異なる動作を行うことができる。
詳細には、同期データＤ＿Ｓは、上述したように音データＤ＿Ａ１と、からくりデータＤ＿Ｋ１を関連付ける。
【００６０】
例えば、端末装置５では、作曲および編集を支援するプログラムを実行して、音データＤ＿ＡおよびからくりデータＤ＿Ｋの作曲および編集を行う。
【００６１】
からくり発音部２８は、ＣＰＵ２９の制御のもと、からくり動作や発音を行う。
からくり発音部２８は、例えば図５に示すように、からくり部２８１、発音部２８２、および駆動制御部２８３とを有する。
【００６２】
からくり部２８１は、からくり機構を有する。からくり部２８１は、駆動制御部２８３から出力された駆動信号によりからくり機構を駆動して、例えば被打鈴体を実打ちして発音する。
【００６３】
発音部２８２は、駆動制御部２８３の信号により発音を行う。例えば発音部２８２は、音データＤ＿Ａに基づいてスピーカを駆動して所望の音楽を発音する。例えば、発音部２８２は、音データＤ＿ＡがＭＰ３形式で符号化されている場合には、ＭＰ３形式に基づいて復号化処理を行い発音する。
【００６４】
駆動制御部２８３は、ＣＰＵ２９からの制御により、からくり部２８１および発音部２８２を駆動する。
詳細には例えば、駆動制御部２８３は、からくりデータＤ＿Ｋに応じた駆動信号をからくり部２８１に出力し、設定データＤ＿Ｉに応じて所定のタイミングで、音データＤ＿Ａに応じた信号を出力する。
【００６５】
図８は、図７に示したからくり時計のからくり部の一具体例を示す構成図である。
からくり部２８１は、例えば図８に示すように、被打鈴体（棒鈴体）２８１１および打鈴装置２８１２を有する。
棒鈴体２８１１はそれそれ長さの異なる複数の中空パイプ２８１１ａで構成され、基台に略垂直に形成されている。
棒鈴体２８１１は、「ド」音から１オクターブ高い「ド」までの音色をそれぞれ発音可能である。
【００６６】
打鈴装置２８１２は、例えば図８に示すように、一端がフレーム２８１２ａに固定された板バネ２８１２ｂと、板バネ２８１２ｂの自由端近傍に設けられたハンマーヘッド２８１２ｃと、板バネ２８１２ｂをたわませて棒鈴体２８１１を実打ちするソレノイド駆動装置２８１２ｄ（ソレノイド部）とで構成されている。
【００６７】
図９は、図７に示したからくり時計のからくり部と発音部の動作を説明するための図である。
図９（ａ）は、からくり部に入力されるからくりデータＤ＿Ｋに応じた駆動信号のタイミングを示す図である。図９（ｂ）は、からくり部に入力されてから、からくり部が被打鈴体を実打ちして実際に発音するタイミングを示す図である。図９（ｃ）は、発音部に入力される音データＤ＿Ａのタイミングを示す図である。図９（ｄ）は、発音部から実際に発音されるタイミングを示す図である。
【００６８】
図１０は、図７に示したからくり時計のからくり部の動作の一具体例を示すフローチャートである。からくり時計２のからくり発音部２８の動作を図９，１０を参照しながら説明する。
【００６９】
からくり部２８１は、図９（ａ），（ｂ）に示すように、からくり部２８１にからくりデータＤ＿Ｋに応じた駆動信号が入力した時間ｔ０から、実際に被打鈴体２８１１を実打ちして発音するまでの時間ｔｓには、遅延時間ｔｓ−ｔ０がある。
【００７０】
ステップＳＴ１１において、ＣＰＵ２９は駆動制御部２８３に、図９（ａ），（ｂ）に示すようにからくり部２８１のからくり動作とをｔｓ−ｔ０の遅延時間を含む設定データＤ＿Ｉに基づいて、からくりデータＤ＿Ｋに応じた駆動信号を音データＤ＿Ａよりも所定の時間ｔｓ−ｔ０早く、からくり部２８１に出力させる。
【００７１】
詳細には、ＣＰＵ２９は、駆動制御部２８３に、からくりデータＤ＿Ｋ内の、メロディの音程、音の強弱、および音の長さに基づいて、所望のパルス幅のソレノイド駆動パルスを所望の音程を発音する棒鈴体２８１１に設置されたソレノイド駆動装置２８１２ｄに供給して駆動させ、板バネ２８１２ｂをたわませて、ハンマーヘッド２８１２ｃを棒鈴体２８１１に衝突させて、所望の音を発音させてメロディを演奏させる（ＳＴ１２）。
【００７２】
ＣＰＵ２９は、例えば駆動制御部２８３に、図９（ｃ），（ｄ）に示すように、時刻ｔ０から遅延時間ｔ０−ｔｓ経過した後（ウェイト）（ＳＴ２１）、時刻ｔｓに発音部２８２に音データＤ＿Ａに応じた信号を出力し（ＳＴ２２）、からくり部２８１のからくり動作、例えば実打ち音と同期した音楽を発音部２８２に発音させる（ＳＴ２３）。
こうすることで発音部２８２の発音とからくり部２８１のからくり動作とが同期する。
【００７３】
ＣＰＵ２９は、通信Ｉ／Ｆ２１が受信した、情報提供装置３からの所定形式のからくり同期データ３１０、ＲＯＭ２５、ＲＡＭ２６、保存メモリ２７に記憶されているデータ等に基づいて、本発明に係る処理を行う。
【００７４】
ＣＰＵ２９は、からくり同期データ３１０の内の時刻データ３１４に基づいて、計時部２２を修正し、スタート時刻データ３１６に基づいて、計時部２２による計時時刻が開始時刻になると、楽曲データ３１５に基づいてからくり部にからくり演奏を行わせる。
【００７５】
詳細には、ＣＰＵ２９は、リセット処理部２９１、時刻同期部２９２、およびフォルダー同期部２９３とを有する。
リセット処理部２９１は、スタート時刻データ３１６の所定の時間前、例えば数分前に全部からくり部２８１の設定（データ）をクリアにする。例えば詳細にはからくり部にリセット要求を送信する。
【００７６】
時刻同期部２９２は、時刻データ３１４に基づいて計時部２２の時刻同期、時刻修正を行う。また、時刻同期部２９２は計時部２２とＣＰＵ２９内部の計時時刻と同期する。
また、時刻同期部２９２は、通信ネットワーク４を介して情報提供装置３に標準時刻情報として時刻データ３１４の要求を送信し、情報提供装置３から要求に応じて送信された標準時刻情報が通信Ｉ／Ｆ２１で受信されると計時部２２の時刻情報を修正する。
【００７７】
フォルダー同期部２９３は、同期データＤ＿Ｓに基づいて、音用フォルダＦ＿Ａ内の音データＤ＿Ａと、からくり用フォルダＦ＿Ｋ内のからくりデータＤ＿Ｋを抽出し、からくり部２８１および発音部２８２にセットする。
【００７８】
フォルダー同期部２９３は、所定のタイミングで、通信ネットワーク４を介して、情報提供装置３に記憶されている所定のフォルダと同期を行う。
【００７９】
図１１は、図１に示したからくり時計の動作の一具体例のフローチャートである。上述した構成のからくり時計の動作を、ＣＰＵ２９の動作を中心に図１１を参照しながら説明する。
【００８０】
ステップＳＴ１０１において、ＣＰＵ２９では、通信Ｉ／Ｆ２１が、情報提供装置３から通信ネットワーク４を介して送信された、からくり同期データ３１０を受信すると、からくり同期データ３１０を保存メモリ２７に記憶する（ＳＴ１０２）。例えば、アドレス３１２に基づいて、所定のアドレスにからくりデータの所定データそれぞれを記憶する。
【００８１】
時刻同期部２９２によりからくり同期データ３１０中の時刻データ３１４に基づいて計時部２２の時刻同期、時刻修正が行われ（ＳＴ１０３）、ステップＳＴ１０４の処理に進む。
一方、ステップＳＴ１０１において、からくり同期データを受信しない場合にも、ステップＳＴ１０４の処理に進む。
【００８２】
ステップＳＴ１０４において、ＣＰＵ２９では、例えばスタート時刻データ３１６に基づいて、スタート時刻の所定時間前になると、リセット処理が行われる（ＳＴ１０５）。
詳細には、例えばＣＰＵ２９において、リセット処理部２９１では、スタート時刻の所定の時間前、例えば数分前にからくり部２８１の設定をクリアにする。例えば詳細にはからくり部２８１にリセット要求を送信して、からくり部２８１の設定をクリアにする。
【００８３】
ステップＳＴ１０６において、ＣＰＵ２９では、音データＤ＿ＡとからくりデータＤ＿Ｋが読込みまれる。詳細には、例えばフォルダー同期部２９３により保存メモリ２７に記憶されている同期データＤ＿Ｓに基づいて、音用フォルダＦ＿Ａ内の音データＤ＿Ａと、からくり用フォルダＦ＿Ｋ内のからくりデータＤ＿Ｋとを抽出して、からくり部２８１および発音部２８２にセットする。
【００８４】
ステップＳＴ１０７において、ＣＰＵ２９では、計時部２２で計時される時刻情報がスタート時刻になると、からくりデータＤ＿Ｋに基づいてからくり部２８１にからくりデータＤ＿Ｋに応じたからくり動作を行わせ、設定データＤ＿Ｉに基づいてからくり部２８１のからくり動作と発音とが同期するように所定の時間だけ調節して、詳細には遅らせて発音部２８２に発音させ、ステップＳＴ１０１の処理に戻る。
【００８５】
一方、ステップＳＴ１０４において、スタート時刻の所定の時間前でないと判別された場合にも、ステップＳＴ１０１の処理に戻る。
【００８６】
以上説明した構成のからくりシステム１の動作を簡単に説明する。
例えば、端末装置５では、ユーザの操作により、からくり時計２に発音を行わせるための音データＤ＿Ａと、からくり動作を行わせるためのからくりデータＤ＿Ｋが生成される。また、所定の時刻に所定の曲順でからくり時計２に演奏させるためのスタート時刻データ３１６を含む同期データＤ＿Ｓを生成してもよい。また、設定データＤ＿Ｉを生成してもよい。
【００８７】
端末装置５は、生成した音データＤ＿Ａ、からくりデータＤ＿Ｋ、設定データＤ＿Ｉ、同期データＤ＿Ｓ等を通信ネットワーク４を介して情報提供装置３に送信する。
情報提供装置３は、通信ネットワーク４を介して、音データＤ＿Ａ、からくりデータＤ＿Ｋ、設定データＤ＿Ｉ、同期データＤ＿Ｓ等が受信された場合には、記憶装置３５の所定のフォルダＦに記憶させる。
【００８８】
情報提供装置３は、記憶装置３５に記憶した音データＤ＿Ａ、からくりデータＤ＿Ｋ、設定データＤ＿Ｉ、同期データＤ＿Ｓ等に基づいて、楽曲データ、時刻データ３１４、楽曲データ３１５、スタート時刻データ３１６を含むからくり同期データ３１０を、通信ネットワーク４を介して、からくり時計２に送信する。
からくり時計２では、通信ネットワークを介して上述の情報提供装置３から送信された、からくり同期データ３１０を受信し、保存メモリ２７に記憶し、計時時刻の時刻情報を修正する。
からくり時計２では、スタート時刻の所定の時間前になると、上述したようにリセット処理を行い、保存メモリ２７から所定データを読み出し、からくり部２８１に所定のからくり動作、および発音部２８２に所定の発音を同期して行わせる。
【００８９】
上述したように、情報提供装置３には、標準時計３２と、標準時計３２に応じた時計データ３１４、からくり時計２にからくり動作を行わせるスタート時刻データ３１６、および楽曲データ３１５を含むからくり同期データ３１０を複数のからくり時計２それぞれに送信する通信部３１を設け、からくり時計２には、情報提供装置３から送信されたからくり同期データ３１０を受信する通信Ｉ／Ｆ２１と、からくり同期データ３１０の内の時刻データ３１２に基づいて計時部２２を修正し、からくり同期データ３１０の内のスタート時刻データに基づいて、計時部２１による計時時刻が開始時刻になると、楽曲データ３１５に基づいてからくり部２８１および発音部２８２にからくり動作およびからくり演奏を行わせるＣＰＵ２９を設けたので、複数のからくり時計２が同期したからくり動作およびからくり演奏を行うことができる。
【００９０】
また、通信ネットワーク４を介して、同期データＤ＿Ｓを設定することができるので、所望の時間に所望の曲を、所望の曲順でからくり時計２に演奏を行わせることができる。
【００９１】
からくり時計２は、所望のタイミングで情報提供装置３から標準時刻情報を受信して、計時部２２の時刻情報を修正しているので、正確な時刻に所定のからくり動作および発音を行うことができる。また、複数のからくり時計２で同期した演奏を行うことができる。
【００９２】
また、情報提供装置３に、予め例えば最新の流行の曲や定番の曲や所望のジャンルの曲の音データＤ＿ＡおよびからくりデータＤ＿Ｋを記憶しておき、要求に応じてからくり時計２に送信して、からくり時計２で演奏することで、ユーザの嗜好にあった曲を常に演奏することができる。
【００９３】
図１２は、本発明に係るからくりシステムの第２実施形態の全体構成図である。
本実施形態に係るからくりシステム１ａは、例えば図１２に示すように、からくり時計２、情報提供装置３、および中継サーバ７を有する。
中継サーバ７は、本発明に係る中継装置に相当する。
からくりシステム１ａと第１実施形態に係るからくりシステム１との相違点としては中継サーバ７をさらに設けた点である。同様な機能については説明を省略し相違点のみ説明する。
【００９４】
図１３は、図１２に示した中継サーバの機能ブロック図である。
中継サーバ７は、図１２に示すように通信部７１、計時部７２、入出力部７３、メモリ７４、記憶装置７５、およびＣＰＵ７６を有する。
それぞれはバスＢＳにより接続されている。
通信部７２、計時部７２、入出力部７３、メモリ７４、記憶装置７５は、上記の情報提供装置３、からくり時計２の構成要素とそれぞれほぼ同様の機能を有するので説明を省略する。
【００９５】
ＣＰＵ７６は、通信部７２が、情報提供装置３から通信ネットワーク４を介して出力された、からくり同期データ３１０を受信すると、記憶装置７５に記憶する。
ＣＰＵ７６は、記憶装置７５に記憶したからくり同期データ３１０の内、時刻データ３１４に基づいて、計時部７２が計時する時刻情報を標準時刻に修正する。
ＣＰＵ７６は、からくり同期データ３１０の内アドレス３１２、楽曲データ３１５、および同期データＤ＿Ｓを通信部７１を介して、からくり時計２それぞれに出力する。
【００９６】
ＣＰＵ７６は、スタート時刻データ３１６に基づいて、計時部７２で計時している時刻がスタート時刻より所定時刻前、例えば数秒前に、からくり動作を行わせるトリガ信号を、からくり時計２それぞれに出力する。
【００９７】
からくり時計２において、ＣＰＵ２９は、通信Ｉ／Ｆ２１により、中継サーバ２が送信した、アドレス３１２、楽曲データ３１５、同期データＤ＿Ｓを受信し、アドレス３１２に応じて楽曲データ３１５および同期データＤ＿Ｓを保存メモリ２７に記憶する。
ＣＰＵ２９は、通信Ｉ／Ｆ２１がトリガ信号を受信すると、保存メモリ２７に記憶している同期データＤ＿Ｓおよび楽曲データ３１５に応じて、からくり部２８１、発音部２８２にからくり演奏を行わせる。
【００９８】
以上の構成のからくりシステム１ａの動作を、相違点のみ説明する。
情報提供装置２から、複数のからくり時計２のからくり部それぞれに応じた楽曲データ３１５（からくり演奏情報）を含むからくり同期データ３２０が通信ネットワーク４を介して中継サーバ７に出力される。中継サーバ７では、からくり同期データ３１０を記憶装置７５に記憶し、時刻データ３１４に基づいて、計時部７２が計時する時刻情報を標準時刻に修正する。また、中継サーバ７では、からくり同期データ３１０の内アドレス３１２、楽曲データ３１５、および同期データＤ＿Ｓを通信部７１を介して、楽曲データ３１５に対応する複数のからくり時計２それぞれに出力する。
からくり時計２では、からくり時計２では、それを保存メモリ２７に記憶する。
【００９９】
中継サーバ７において、スタート時刻データ３１６に基づいて、計時部７２で計時している時刻がスタート時刻より所定時刻前、例えば数秒前に、からくり動作を行わせるトリガ信号が、からくり時計２それぞれに出力される。
からくり時計２では、トリガ信号を受信すると、保存メモリ２７に記憶している同期データＤ＿Ｓおよび楽曲データ３１５に応じて、からくり部２８１、発音部２８２にからくり演奏を行う。
【０１００】
以上説明したように、本実施形態では、時刻データ３１４に基づいて計時部７２を標準時刻に修正し、スタート時刻になると、からくり時計２それぞれに、からくり動作を行わせるトリガ信号を出力する中継サーバ７を設けたので、からくり時計２それぞれで時刻同期処理を行う必要がなく、トリガ信号を受信した際に同期したからくり動作を行うことで、処理が軽減される。
【０１０１】
また、中継サーバ７と複数のからくり時計２を、例えば家庭や地区等の所定領域に設けた場合には、情報提供装置３からからくり同期データ３１０が中継サーバ７に出力され、中継サーバ７から各からくり時計２にデータを出力するので、情報提供装置３からのデータトラフィック量が減少し処理が軽減される。
また、トリガ信号に応じてからくり動作を行うので、からくり時計２それぞれの時計機能を修正する必要がなく、それぞれの処理が軽減される。
【０１０２】
なお、本発明は本実施の形態に限られるものではなく、任意好適な種々の改変が可能である。
例えばからくり時計２に、図１に示すようにリモコンｒの操作に応じて同期データを設定できるように入出力装置を設けることで、簡単に選曲やスタート時刻を設定することができる。
【０１０３】
からくり部２８１は、上述した実施の形態に限られるものではない。例えば純正律に基づいた楽器を演奏するようなからくり機構を設けてもよい。そして、発音部２８２に純正律による発音を行わせることで、和音の美しい音楽を演奏することができる。
【０１０４】
【発明の効果】
本発明によれば、同期した処理を行うことができる遠隔操作システムおよびからくりシステムを提供することができる。
【図面の簡単な説明】
【図１】本発明に係るからくりシステムの第１実施形態の全体構成図である。
【図２】図１に示したからくりシステムの情報提供装置の機能ブロック図である。
【図３】図２に示した情報提供装置の標準時計の機能ブロックを示す図である。
【図４】図１に示した情報提供装置の記憶装置に記憶されているデータを説明するための図である。
【図５】図１に示したからくりシステムの情報提供装置からからくり時計に出力するからくり同期データの信号形式を示す図である。
【図６】図１に示した情報提供装置の動作の一具体例を説明するためのフローチャートである。
【図７】図７は、図１に示したからくりシステムのからくり時計の一実施の形態の機能ブロック図である。
【図８】図７に示したからくり時計のからくり部の一具体例を示す構成図である。
【図９】図７に示したからくり時計のからくり部と発音部の動作を説明するための図である。
【図１０】図１０は、図７に示したからくり時計のからくり部の動作の一具体例を示すフローチャートである。
【図１１】図１に示したからくり時計の動作の一具体例のフローチャートである。
【図１２】本発明に係るからくりシステムの第２実施形態の全体構成図である。
【図１３】図１２に示した中継サーバの機能ブロック図である。
【符号の説明】
１…からくりシステム、２…からくり時計、３…情報提供装置、４…通信ネットワーク、５…端末装置、６…標準時刻情報提供装置、７…中継サーバ、２１…通信インターフェイス（通信Ｉ／Ｆ）、２２…計時部、２２ａ…スケジュール管理部、２３…表示部、２３ａ…映像再生部、２４…操作部、２５…ＲＯＭ、２６…ＲＡＭ、２７…保存メモリ、２８…からくり発音部、２９…ＣＰＵ、３１…通信部、３２…標準時計、３３…入出力部、３４…メモリ、３５…記憶装置、３６…ＣＰＵ、７１…通信部、７２…計時部、７３…入出力部、７４…メモリ、７５…記憶装置、７６…ＣＰＵ、２９１…リセット処理部、２９２…時刻同期部、２９３…フォルダー同期部、３２１…原子時計、３２２…通信部、３２３…ＮＴＰサーバ、２８１１…被打鈴体（棒鈴体）、２８１１ａ…中空パイプ、２８１２ｂ…板バネ、２８１２ｃ…ハンマーヘッド、２８１２ｄ…ソレノイド駆動装置、２８１２…打鈴装置、２８２１…アンプ、２８１０１…モータ、２８１０２，２８１０３…ソレノイド。
【図１】
2004257762.tif 000003
【図２】
2004257762.tif 000004
【図３】
2004257762.tif 000005
【図４】
2004257762.tif 000006
【図５】
2004257762.tif 000007
【図６】
2004257762.tif 000008
【図７】
2004257762.tif 000009
【図８】
2004257762.tif 000010
【図９】
2004257762.tif 000011
【図１０】
2004257762.tif 000012
【図１１】
2004257762.tif 000013
【図１２】
2004257762.tif 000014
【図１３】
2004257762.tif 000015